(57)【要約】本発明はスイッチギアキャビネットの筐体（１００）用のヒンジ装置（１）に関し、当該ヒンジ装置（１）は、スイッチギアキャビネットの筐体（１００）の扉開口部（４）の範囲を定めている垂直な側壁（１０１）に固定された、第１のヒンジ半体（２）を有し、かつ、扉の部品（５）に固定された第２のヒンジ半体（３）を有し、ヒンジ半体（２，３）は、回転軸（ｘ）によりお互いに対して旋回できるようにお互いに接続され、扉の部品（５）が閉位置にあるときに扉開口部（４）を閉じるようにし、かつ好ましくは、扉の部品（５）が開位置にあるときに扉開口部（４）を完全に露出させるようにし、回転軸（ｘ）が、扉開口部（４）の外周部（Ｕ）および扉の部品（５）の外周部（Ｕ）の両方の外側に位置しており、ヒンジ半体（２，３）の少なくとも１つが溝（６）を有し、当該溝（６）を用いて、ヒンジ半体（２，３）が、スイッチギアキャビネットの筐体（１００）の一部の外周部（Ｕ）およびヒンジ半体（２，３）に関連する扉の部品（５）の外周部（Ｕ）における突出部（７）に取り付けられる。【選択図】図２
2019537422.tif 000002
【特許請求の範囲】
【請求項１】
スイッチギアキャビネットの筐体（１００）の扉開口部（４）の範囲を定めている垂直な側壁（１０１）または垂直なプロファイル部材（１０２）に固定された、第１のヒンジ半体（２）を含み、かつ、扉の部品（５）に固定された第２のヒンジ半体（３）を含み、
前記ヒンジ半体（２，３）は、回転軸（ｘ）によりお互いに対して旋回できるようにお互いに接続され、前記扉の部品（５）が閉位置にあるときに前記扉開口部（４）を閉じるようにし、かつ好ましくは、前記扉の部品（５）が開位置にあるときに前記扉開口部（４）を完全に露出させるようにし、
前記回転軸（ｘ）が、前記扉開口部（４）の外周部（Ｕ）および前記扉の部品（５）の外周部（Ｕ）の両方の外側に位置している、前記スイッチギアキャビネットの筐体（１００）用のヒンジ装置（１）において、
前記ヒンジ半体（２，３）の少なくとも１つが溝（６）を有し、
当該溝（６）を用いて、前記ヒンジ半体（２，３）が、前記スイッチギアキャビネットの筐体（１００）の一部の外周部（Ｕ）および前記ヒンジ半体（２，３）に関連する扉の部品（５）の外周部（Ｕ）における突出部（７）に取り付けられることを特徴とするヒンジ装置（１）。
【請求項２】
前記突出部（７）が前記回転軸（ｘ）と平行に延び、
少なくとも前記扉の部品（５）が前記扉開口部（４）を閉じるときに、前記扉開口部（４）に垂直に延びていることを特徴とする請求項１記載のヒンジ装置（１）。
【請求項３】
前記突出部（７）が、前記扉の部品（５）の前記外周部（Ｕ）において、任意選択的に円周方向に閉じて90°折り畳まれた縁部であることを特徴とする請求項１または２に記載のヒンジ装置（１）。
【請求項４】
前記突出部（７）が、前記外周部（Ｕ）に背を向ける内側（８）に固定手段（９）を含み、
前記溝（６）を用いて前記突出部（７）に完全に取り付けられる前記ヒンジ半体（２，３）が、前記固定手段（９）に動作可能に連結された追加の固定手段（１０）を含み、
前記追加の固定手段（１０）を用いて、前記突出部（７）に完全に取り付けられる位置に前記第２のヒンジ半体（３）が固定されることを特徴とする請求項１〜３のいずれか１項に記載のヒンジ装置（１）。
【請求項５】
前記固定手段（９）がピン貫通開口部であり、特に、溶接されたハトメであり、
前記追加の固定手段（１０）が、前記第２のヒンジ半体（３）を貫通する追加のピン貫通開口部であり、当該追加のピン貫通開口部が前記ピン貫通開口部と一直線になっており、
前記追加のピン貫通開口部および前記ピン貫通開口部は、これらを貫通している接続用のピン（１１）を用いてお互いに接続されることを特徴とする請求項４記載のヒンジ装置（１）。
【請求項６】
前記扉の部品（５）は縁付きの平坦な部品であり、
前記縁付きの平坦な部品は、前記扉の部品（５）が閉位置にあるときに前記扉の開口部（４）と平行に延びて当該扉の開口部（４）を覆う扉の側面部（１２）を含み、かつ前記縁付きの平坦な部品は、周囲が90°折り曲げられた縁部を含み、
前記第２のヒンジ半体（３）が、前記扉の側面部（１２）における第１の支持面（１３）と、前記90°折り曲げられた縁部における第２の支持面（１４）とに取り付けられることを特徴とする請求項４または５に記載のヒンジ装置（１）。
【請求項７】
前記スイッチギアキャビネットの筐体（１００）は、平行または実質的に平行な２つのプロファイル部材側面（１６）を有するＵ字状のプロファイル部材（１５）を、前記扉開口部（４）に有し、
前記プロファイル部材側面（１６）は、これら２つのプロファイル部材側面（１６）に対して垂直に延びる追加のプロファイル部材側面（１７）に接続され、
前記平行なプロファイル部材側面（１６）の第１の側面および追加の90°折り曲げられた縁部（１８）を用いて、前記垂直な側壁（１０１）に前記Ｕ字状のプロファイル部材（１５）が形成され、
前記平行なプロファイル部材側面（１６）の第２の側面は、前記扉の部品（５）が閉位置にあるときに、前記扉の部品の内側に位置するシール要素（１９）に当接するシール用の側面であることを特徴とする請求項１〜６のいずれか１項に記載のヒンジ装置（１）。
【請求項８】
前記第１のヒンジ部分（２）が、前記平行な２つのプロファイル部材側面（１６）の間に延びて、前記側壁（１０１）に形成された前記プロファイル部材側面（１６）に固定されることを特徴とする請求項７記載のヒンジ装置（１）。
【請求項９】
前記第２のヒンジ半体（３）が、
それぞれが回転軸（ｘ）の収容用の第１の貫通孔（３．３）を有する２つの軸受部分（３．１）と、
前記第１の貫通孔（３．３）と平行に延びる、接続用のピン（１１）の収容用の第２の貫通孔（３．４）と、
前記第２の貫通孔（３．４）と平行で回転軸（ｘ）の方向に連続的に延びる部分的な溝（２０）と、を含み、
前記２つの軸受部分（３．１）は、距離（ｄ）をおいて、接続用のウェブ部（３．２）を介してお互いに接続され、かつ、整列している前記第１の貫通孔（３．３）および前記第２の貫通孔（３．４）と、整列している前記部分的な溝（２０）との両方に関係していることを特徴とする請求項４〜６のいずれか１項に記載のヒンジ装置（１）。
【請求項１０】
前記接続用のウェブ部（３．２）が接触面（３．５）を有し、
前記接触面は、２つの前記部分的な溝（２０）のそれぞれの境界側面（２０．１）の１つと一直線にしており、前記接続用のウェブ部（３．２）の前記接触面（３．５）は、前記部分的な溝（２０）の前記境界側面（２０．１）と共に、前記第２のヒンジ半体（３）の前記溝（６）の溝形成壁を形成するようにし、当該溝形成壁は前記回転軸（ｘ）の方向に連続していることを特徴とする請求項９記載のヒンジ装置（１）。
【請求項１１】
前記第２のヒンジ半体（３）の前記溝（６）が、前記２つの軸受部分（３．１）の間の領域における、前記連続している溝形成壁とは反対の側面で途切れていることを特徴とする請求項１０記載のヒンジ装置（１）。
【請求項１２】
前記第２のヒンジ半体（３）もまた、２つの軸受部分（３．１）を含み、
それぞれの前記軸受部分（３．１）が、
接続用のピン（１１）の収容用の第１の貫通孔（３．４）と、
前記回転軸（ｘ）の収容用の貫通開口部（３．４）と平行に延びるヒンジピンスリーブ（２５）と、を有し、
２つの前記軸受部分（３．１）は、距離（ｄ）をおいて、接続用のウェブ部（３．２）を介してお互いに接続され、整列した前記第１の貫通孔（３．４）と結合し、かつ前記ヒンジピンスリーブ（２５）と結合し、
前記溝（６）が前記軸受部分（３．１）と前記接続用のウェブ部（３．２）との間に形成されていることを特徴とする請求項１〜６のいずれか１項に記載のヒンジ装置（１）。
【請求項１３】
前記溝（６）がＬ字状の構造を有し、
当該Ｌ字状の構造は、前記接続用のウェブ部（３．２）と、前記軸受部品（３．１）の第１の接触面（３．５）のそれぞれとの間に第１の溝部（６．１）を含み、かつ、前記ヒンジピンスリーブ（２５）と、前記軸受部分（３．１）の第２の接触面（３．６）のそれぞれとの間に第２の溝部（６．２）を含むことを特徴とする請求項１２記載のヒンジ装置（１）。
【請求項１４】
それぞれの前記軸受部分（３．１）用の前記第１および前記第２の接触面（３．５，３．６）が、お互いに垂直に向けられ、第１の円形部（２６）を介してお互いに合流することを特徴とする請求項１３記載のヒンジ装置（１）。
【請求項１５】
前記接続用のウェブ部（３．２）が、前記ヒンジピンスリーブ（２５）の追加の接触面（３．７）に対して垂直に延び、
前記追加の接触面（３．７）は、前記第２の接触面（３．６）に対して平行に間隔をとって配置され、したがって前記第２の溝部（６．２）を形成し、
前記接続用のウェブ部（３．２）は、第２の円形部（２７）を介して前記追加の接触面（３．７）に合流し、
前記第１の円形部（２６）の半径は前記第２の円形部（２７）の半径よりも大きいことを特徴とする請求項１４記載のヒンジ装置（１）。
【請求項１６】
スイッチギアキャビネットの筐体のフレームワークの垂直プロファイル部材（１０２）も有し、
前記垂直プロファイル部材（１０２）の断面は、お互いに垂直に向けられた２つのシール用のウェブ部（１０４）を含み、
前記２つのシール用のウェブ部（１０４）は、これら２つのシール用のウェブ部（１０４）のシール縁部に対して凹んだ接続用のプロファイル側面（１０３）を介してお互いに接続され、
前記第１のヒンジ半体（２）が、前記接続用のプロファイル側面（１０３）を用いて前記垂直プロファイル部材（１０２）に固定されていることを特徴とする請求項１２〜１５のいずれか１項に記載のヒンジ装置（１）。
【請求項１７】
前記第１のヒンジ半体（２）が、固定用のフランジ（２８）を用いて前記接続用のプロファイル側面（１０３）に固定され、
前記固定用のフランジに、Ｌ字型のプロファイル部が第１のプロファイルウェブ部（２９）に対して45°の角度で成形され、
前記第１のプロファイルウェブ部（２９）が、90°の移行部（３２）を介して第２のプロファイルウェブ部に合流し、当該第２のプロファイルウェブ部の自由端で、前記回転軸（ｘ）にヒンジピンスリーブ（３０）が配置されることを特徴とする請求項１６記載のヒンジ装置（１）。
【請求項１８】
側壁（１０１）または垂直なプロファイル部材（１０２）を含み、
請求項１〜１７のいずれか１項に記載のヒンジ装置（１）の少なくとも１つを用いて、扉の部品（５）が固定されることを特徴とするスイッチギアキャビネットの筐体（１００）。
【発明の詳細な説明】
【技術分野】
【０００１】
本発明はスイッチギアキャビネットの筐体用のヒンジ装置を対象にし、当該ヒンジ装置は、スイッチギアキャビネットの筐体の扉開口部の範囲を定めている垂直な側壁に固定された第１のヒンジ半体、もしくはスイッチギアキャビネットの筐体の扉開口部の範囲を定めているフレームワークの垂直なプロファイル部材に固定された第１のヒンジ半体を有し、また当該ヒンジ装置は、扉の部品に固定される第２のヒンジ半体を有し、これらのヒンジ半体は、回転軸によりお互いに対して旋回できるようにお互いに接続されて、当該扉の部品が閉位置にあるときに扉開口部を閉じるようにし、かつ好ましくは、扉の部品が開位置にあるときに扉開口部を完全に露出させるようにし、当該回転軸が、扉開口部および扉の部品の両方の外周部の外側に位置している。このようなヒンジ装置は欧州特許第１  ７７７  ３６３号明細書から周知である。
【先行技術文献】
【特許文献】
【０００２】
【特許文献１】欧州特許第１  ７７７  ３６３号明細書
【特許文献２】ドイツ特許出願公開第１０  ２０１４  １０１  ４０４号明細書
【発明の概要】
【発明が解決しようとする課題】
【０００３】
スイッチギアキャビネットの筐体および扉の部品の両方の外周部に回転軸を移動させることにより、扉の部品をその閉位置から開位置へと少なくとも180°旋回させることが可能になる、いわゆる180°ヒンジが得られる。これまでに周知のヒンジ装置は、それらを取り付けるために、スイッチキャビネットの筐体または扉の部品のいずれかを手直しする必要がある、という欠点を有している。例えば、ヒンジ半体の固定用の回転軸または穴を組み入れるための特別な切欠きを設ける必要があり、当該特別な切欠きがなければ、周知のヒンジ装置をスイッチキャビネットの筐体または扉の部品に取り付けることは不可能である。
【０００４】
そこで、スイッチギアキャビネットの筺体または扉の部品の手直しを必要とせず、したがって実質的に工具を使用せずに取り付けることを可能にする、全体的なヒンジ装置を提案することを、本発明の目的とする。
【課題を解決するための手段】
【０００５】
この目的は、請求項１の特徴を含んでいるヒンジ装置により達成される。従属請求項１２は、対応するスイッチギアキャビネットの筐体に関する。有利な実施形態は、いずれの場合にも従属請求項の対象である。
【０００６】
したがって、冒頭に記載されたタイプのヒンジ装置が提供され、当該ヒンジ装置において、少なくとも１つのヒンジ半体が溝を有し、当該溝を用いて、関連するヒンジ半体が、スイッチギアキャビネットの筐体の一部と、当該ヒンジ半体に関連する扉の部品と、の外周部における突出部に取り付けられる。この目的のために、例えばクリップ接続が突出部と溝との間に形成されてもよく、“クリップ留め”することにより、スイッチギアキャビネットの筐体または扉の部品にヒンジ半体が取り付けられるようにしてもよい。
【０００７】
溝を用いてヒンジ半体を突出部に取り付けることにより、この突出部を含む構成要素、すなわちスイッチギアキャビネットの筐体または扉の部品のいずれかに、ヒンジ半体を少なくとも事前に取り付けることができる。この事前に取り付けることは、例えば、スイッチギアキャビネットの筺体または扉の部品とヒンジ半体との圧入接続用の固定手段が、その後の圧入接続のために予め位置決めされるという点で行われてもよい。この目的のために例えば、固定用取り付具、例えばヒンジ半体の固定用の通路または穴と、スイッチギアキャビネットの筐体または扉の部品とをお互いに対して位置合わせしてもよく、両方の部品の最終的な圧入連結用の工具を使用せずに、１つの固定手段のみ、例えば止めピンのみを挿入できるようにしてもよい。
【０００８】
突出部が回転軸と平行に延びてもよく、少なくとも扉の部品が扉開口部を閉じるときに、この扉開口部の平面に垂直に延びてもよく、したがって扉開口部の平面から突出してもよい。特にこの突出部が、扉の部品の外周部において、任意選択的に円周方向に閉じて90°折り畳まれた縁部であってもよい。この突出部が、突出しているウェブ部または周方向フランジ部であってもよい。
【０００９】
突出部が外周部に背を向ける内側に固定手段を含み、ヒンジ半体の溝を用いて突出部に完全に取り付けられる当該ヒンジ半体が、当該固定手段に動作可能に連結された追加の固定手段を含んでいる、ということがさらに提供されてもよく、当該追加の固定手段を用いて、突出部に完全に取り付けられる位置に第２のヒンジ半体が固定されている。
【００１０】
この構成における固定手段がピン貫通開口部、特に、溶接されたハトメであってもよく、追加の固定手段が、第２のヒンジ半体を貫通する追加のピン貫通開口部であってもよく、当該追加のピン貫通開口部がピン貫通開口部と一直線になっており、これらの追加のピン貫通開口部およびピン貫通開口部は、これらを貫通している接続用のピンを用いてお互いに接続されている。
【００１１】
扉の部品は縁付きの平坦な部品であってもよく、当該縁付きの平坦な部品は、扉の部品が閉位置にあるときに扉の開口部と平行に延びて当該扉の開口部を覆う扉の側面部を含み、また当該縁付きの平坦な部品は、周囲が90°折り曲げられた縁部を含んでおり、第２のヒンジ半体は、当該扉の側面部における第１の支持面と、当該90°折り曲げられた縁部における第２の支持面とに取り付けられ、または当接している。
【００１２】
スイッチギアキャビネットの筐体もまた、平行または実質的に平行な２つのプロファイル部材側面を有するＵ字状のプロファイル部材を、扉開口部に有してもよく、当該プロファイル部材側面は、これら２つのプロファイル部材側面に対して垂直に延びる追加のプロファイル部材側面に接続されており、実質的に平行なプロファイル部材側面の第１の側面および追加の90°折り曲げられた縁部を用いて、追加の側壁に当該Ｕ字状のプロファイル部材が形成され、実質的に平行なプロファイル部材側面の第２の側面は、扉の部品が閉位置にあるときに、扉の部品の内側に位置するシール要素に当接するシール用の側面である。
【００１３】
この場合の第１のヒンジ部分は、平行な２つのプロファイル部材側面の間に延びていてもよく、側壁に形成されたプロファイル部材側面に固定されてもよい。
【００１４】
第２のヒンジ半体もまた、それぞれが回転軸の収容用の第１の貫通孔を有する２つの軸受部分と、当該第１の貫通孔と平行に延びる、固定手段の収容用の第２の貫通孔と、やはり第１の貫通孔と平行で回転軸の方向に連続的に延びる部分的な溝と、を含んでもよく、２つの軸受部分は、距離をおいて、接続用のウェブ部を介してお互いに接続され、かつ２つの軸受部分は、整列している第１および第２の貫通孔と、整列している部分的な溝との両方に関係している。
【００１５】
この構成において、接続用のウェブ部が接触面を有することがさらに提供されてもよく、当該接触面は、いずれの場合も、２つの部分的な溝の境界側面と一直線にしており、
接続用のウェブ部の接触面は、部分的な溝の境界側面と共に、第２のヒンジ半体の溝の溝形成壁を形成するようにし、当該溝形成壁は回転軸の方向に連続している。これら２つの部分的な溝の２つの境界側面は、特に、２つの側面のうちの一方であってもよく、すなわち、２つの境界側面が部分的な溝の深さ方向に延び、部分的な溝の側壁が、お互いに対向し、かつ実質的に平行であってもよい。
【００１６】
第２のヒンジ半体の溝が、２つの軸受部分の間の領域における、連続している溝形成壁とは反対の側面で途切れていてもよい。
【００１７】
第２のヒンジ半体もまた、２つの軸受部分を含んでもよく、それぞれの軸受部分が、接続用のピンの収容用の第１の貫通孔と、ヒンジピンの収容用の貫通開口部と平行に延びるヒンジピンスリーブと、を有し、これら２つの軸受部分は、お互いに距離をおいて、接続用のウェブ部を介して接続され、整列した第１の貫通孔と関係しており、かつ、ヒンジピンスリーブと関係しており、第２のヒンジ半体の溝が軸受部分と接続用のウェブ部との間に形成されている。
【００１８】
第２のヒンジ半体の溝がＬ字状の構造を有してもよく、当該Ｌ字状の構造は、接続用のウェブ部と、軸受部品の第１の接触面のそれぞれとの間に第１の溝部を含み、かつ、ヒンジピンスリーブと、軸受部分の第２の接触面のそれぞれとの間に第２の溝部を含んでいる。
【００１９】
それぞれの軸受部分用の第１および第２の接触面が、お互いに垂直に向けられてもよく、第１の円形部を介してお互いに合流してもよい。
【００２０】
接続用のウェブ部が、ヒンジピンスリーブの追加の接触面に対して垂直に延びてもよく、当該追加の接触面は、第２の接触面に対して平行に間隔をとって配置され、したがって第２の溝部を形成しており、接続用のウェブ部は、第２の円形部を介して追加の接触面に合流し、第１の円形部の半径は第２の円形部の半径よりも大きい。
【００２１】
ヒンジ装置もまた、特にフレームワークを有する大型キャビネットの場合に、スイッチギアキャビネットの筐体のフレームワークの垂直プロファイル部材を有していてもよく、当該垂直プロファイル部材の断面は、お互いに垂直に向けられた２つのシール用のウェブ部を含み、当該２つのシール用のウェブ部は、これら２つのシール用のウェブ部のシール縁部に対して凹んだ接続用のプロファイル側面を介してお互いに接続され、第１のヒンジ半体が、接続用のプロファイル側面を用いて垂直プロファイル部材に固定されている。
【００２２】
第１のヒンジ半体が、固定用のフランジを用いて接続用のプロファイル側面に固定されてもよく、当該固定用のフランジに、Ｌ字型のプロファイル部が第１のプロファイルウェブ部に対して45°の角度で成形され、第１のプロファイルウェブ部が、90°の移行部を介して第２のプロファイルウェブ部に合流し、当該第２のプロファイルウェブ部の自由端で、回転軸にヒンジピンスリーブが配置される。
【００２３】
本発明の別の態様によればスイッチギアキャビネットの筐体が説明され、前述の請求項のうちいずれか１項による少なくとも１つのヒンジ装置を用いて、当該スイッチギアキャビネットの筐体に扉の部品が固定されている。
【図面の簡単な説明】
【００２４】
本発明のさらなる詳細は、以下の図を参照して説明される：
【図１】扉の部品が180°開いた設定位置に配置された、例示的なスイッチキャビネットの筐体を示す斜視図である。
【図２】図１によるスイッチギアキャビネットの筐体のヒンジ装置を示す詳細図である。
【図３】扉が開いた状態の図１によるスイッチギアキャビネットの扉の側面部を示す上面図である。
【図４】図３に表示された断面Ｂ−Ｂに沿って示す断面図である。
【図５】扉の部品が閉じた状態のスイッチギアキャビネットの筐体の扉の側面部を示す平面図である。
【図６】図５に表示された断面Ａ−Ａに沿って示す断面図である。
【図７】扉の部品が閉じた状態のスイッチギアキャビネットの筐体を示す斜視図である。
【図８】図７によるスイッチギアキャビネットの筐体の、斜視図におけるヒンジ装置の領域を示す詳細図である。
【図９】第２のヒンジ半体の例示的な実施形態を示す図である。
【図１０】第１のヒンジ半体の例示的な実施形態を示す図である。
【図１１ａ】図９および図１０に示されるヒンジ半体からなるヒンジ装置を示す斜視図である。
【図１１ｂ】図９および図１０に示されるヒンジ半体からなるヒンジ装置を示す斜視図である。
【図１１ｃ】図９および図１０に示されるヒンジ半体からなるヒンジ装置を示す斜視図である。
【図１１ｄ】図９および図１０に示されるヒンジ半体からなるヒンジ装置を示す斜視図である。
【図１２】開位置におけるヒンジ装置の別の実施形態を示す斜視図である。
【図１３】扉の部品を取り外した状態の図１２によるヒンジ装置を示す上面図である。
【図１４】図９によるヒンジ装置を示す分解図である。
【図１５】閉位置におけるヒンジ装置の別の実施形態を示す水平断面図である。
【図１６】図１５によるヒンジ装置の開位置を示す水平断面図である。
【発明を実施するための形態】
【００２５】
図１は例示的なスイッチギアキャビネットの筐体１００を示しており、当該スイッチギアキャビネットの筐体１００において、扉の部品５が閉位置に対して180°旋回した開位置に位置している。扉の部品５は、２つのヒンジ装置１を用いてスイッチギアキャビネットの筐体１００に回転可能に固定されており、当該ヒンジ装置１は、扉の部品５とスイッチギアキャビネットの筐体１００の外周部Ｕとをお互いに接続している。
【００２６】
図１による表示における下部のヒンジ装置１が、図２に詳細に示されている。それに応じて、ヒンジ装置１は第１のヒンジ半体２を含んでおり、当該第１ヒンジ半体２は、スイッチギアキャビネットの筐体１００の外周部Ｕに、ピンにより固定されている。第２のヒンジ半体３は、突出部７を用いて扉の部品５の外周部Ｕに留められ、接続ピン１１により扉の部品５に固定されている。接続用のピン１１は、貫通孔として設計された固定手段１０に通されて第２のヒンジ半体３に通され、そして扉の側面部における固定手段９に通されており、当該固定手段９は、扉の部品５の外周部Ｕに溶接されたハトメである。
【００２７】
管状の扉のフレーム２２は、扉の部品５の扉の内側１２に配置される。回転軸ｘは回転ピンまたはヒンジピンにより形成され、当該回転ピンまたはヒンジピンは、２つのヒンジ半部２，３をお互いに枢動可能に接続している。
【００２８】
図１および図２に示されるヒンジ装置１の構造は、さらに図３および図４で説明される。図３および図４に示される扉の部品５の開位置において、スイッチギアキャビネットの筐体１００は、その側壁１０１に形成されたＵ字状のプロファイル部材１５を有し、当該Ｕ字状のプロファイル部材１５は、実質的に平行な２つのプロファイル部材側面１６を有し、当該２つのプロファイル部材側面１６は、これら平行なプロファイル部材側面１６に垂直な追加のプロファイル部材側面１７を介して、お互いに距離を置いて接続されていることが明らかである。第１のヒンジ半体２は、実質的に平行なプロファイル部材側面１６の間に形成された収容空間内に突出し、90°折り曲げられた縁部により側壁１０１内に移行しているプロファイル部材側面１６へのねじ接続により、ねじ止め固定されている。反対側の自由なプロファイル部材側面１６は、閉位置でシール要素１９と接触するシール面を形成し（図６参照）、したがって、扉の部品５が閉位置にあるときに、スイッチギアキャビネットの筐体１００の内部空間を周囲から密閉している。突出部７は、扉の部品５の外周部Ｕにおいて、周方向に閉じて90°折り曲げられた縁部として設計されている。特に扉の部品５は縁付きの平坦な部品であり、扉の部品５の閉位置（図６参照）で扉開口部４と平行に延びて当該扉開口部４を覆っている扉の側面部を含み、かつ、周方向に90°折り曲げられた縁部を含んでいる。第２のヒンジ半体３は、扉の側面部１２に取り付けられる第１の支持面１３と、90°折り曲げられた縁部に取り付けられる第２の支持面１４とを備えている。
【００２９】
図６では、どのように閉位置でシール用の側面１６がシール要素内に入り込むか、すなわち、どのようにシール用の側面１６がシール要素１９を圧縮し、したがって、スイッチギアキャビネットの筐体１００と扉の部品５との間にシール接続を生じさせるかが明らかである。
【００３０】
図７および図８は、ヒンジ装置１の回転軸ｘが、扉の部品５だけでなくスイッチキャビネットの筐体１００の外周部Ｕの両方の外側に配置され、したがって、スイッチキャビネットの筐体１００に対して扉の部品５が180°旋回できるようにすることを図示している。
【００３１】
第１および第２のヒンジ半体の例示的な実施形態が図９および図１０に示される。図９による第２のヒンジ半体３は、お互いから距離ｄだけ間隔をとった２つの軸受部分３．１を含み、それぞれの軸受部分３．１は、回転軸ｘの収容用の第１の貫通孔３．３と、当該第１の貫通孔３．３と平行に延びる、接続用のピン１１の収容用の第２の貫通孔３．４とを含んでいる。軸受部分３．１は、やはり第１および第２の貫通孔３．３，３．４と平行に延びる部分的な溝２０をさらに含んでいる。２つの軸受部分３．１は、接続用のウェブ部３．２を介して、お互いに対して距離ｄでお互いに接続され、かつ、整列された第１および第２の貫通孔３．３，３．４の両方だけでなく整列された部分溝２０とも関係している。
【００３２】
さらに接続用のウェブ部３．２が接触面３．５を有し、当該接触面３．５は、２つの部分的な溝２０のそれぞれの境界面２０．１の１つと一直線になっており、接続用のウェブ部３．２の接触面３．５が、部分的な溝２０の境界面２０．１と共に第２のヒンジ半体３の溝６の溝形成壁を形成し、当該溝形成壁が回転方向に平面で、かつ連続的に一体であるようにしている、ということが明らかである。さらに、第２のヒンジ半体３の溝６は、２つの軸受部分３．１の間の領域において、連続的に一体的な溝形成壁とは反対側で途切れている。
【００３３】
図１０に示されている第１のヒンジ半体２は、貫通孔３．３に対応する回転軸開口部２４を含んでもよい。したがって第１のヒンジ半体２は、貫通孔３．３と回転軸開口部２４とが整列するように、第２のヒンジ半体３の２つの貫通孔３．３の間に実質的に形状適合的に収容されてもよく、例えば金属ピンの形態の回転軸が、整列された貫通孔３．３および回転軸開口部２４を通って導入されるようにしてもよく、したがって、ヒンジ半体２，３がお互いに枢動可能に接続されるようにしてもよい。
【００３４】
このような方法でお互いに接続されたヒンジ半体２，３は、図１１ａ〜図１１ｄの様々な斜視図に表現されるように、ヒンジ装置１を形成する。
【００３５】
図１２はヒンジ装置１を示しており、当該ヒンジ装置１において、第１のヒンジ半体２および第２のヒンジ半体３から形成されたヒンジを用いて、扉の部品５がスイッチギアキャビネットの垂直プロファイル部材１０２に旋回可能に固定されている。垂直プロファイル部材１０２は、スイッチギアキャビネットの筐体のフレームワークの一部であってもよい。垂直プロファイル１０２は、ドイツ特許出願公開第１０  ２０１４  １０１  ４０４号明細書から周知であるような断面形状を有していてもよい。
【００３６】
垂直プロファイル部材１０２は、実質的にお互いに垂直に向けられた２つのシール用のウェブ部１０４を含み、当該シール用のウェブ部１０４は、お互いに垂直に配置された２つの平面において、シール用のウェブ部１０４の自由なシール縁部１０５によりシール面を形成しており、当該シール面に沿って、シール用のウェブ部１０４は、シール要素１０６との密閉するような接触がもたらされてもよい。図８による表示における扉の部品５は、その内側にシール要素１０６を含んでおり、当該シール要素１０６は、ヒンジ装置１の閉位置において、図８による表示における前面のシール用のウェブ部１０４のシール縁部１０５と接触状態になる。
【００３７】
自由なシール縁部１０５に対して凹んだシール用のウェブ部１０４は、接続用のプロファイル側面１０３を介してお互いに接続されている。接続用のプロファイル側面１０３は、２つのシール用のウェブ部１０４に対して実質的に45°の角度で延びている。第１のヒンジ半体２は、固定用のフランジ２８を用いて接続用のプロファイル側面１０３に固定される。固定用のフランジ２８にはＬ字型の拡張部が成形され、当該拡張部は、固定用のフランジ２８に対して45°の角度で延びる第１のプロファイルウェブ部２９と、固定用のフランジ２８に対して90°の角度で延びる第２のプロファイルウェブ部３３と、からなる。第１のプロファイルウェブ部２９および第２のプロファイルウェブ部３３は、90°の移行部を介してお互いに接続されている。例えば圧入されてヒンジピンが収容されるヒンジピンの台座３０は、固定用のフランジ２８から見て外方に向いている第２のプロファイルウェブ部３３の端部に成形され、図１２による表現では、ヒンジピンの自由端が、ヒンジピンの台座３０の上端から突出して第２のヒンジ半体３のヒンジピンスリーブ２５内に延びており、２つのヒンジ半部２，３がお互いに固定されて、お互いに対して枢動できるようにしている。
【００３８】
扉の部品５の内側は固定手段９を含んでおり、当該固定手段９は、溶接された薄板金属製タブの形態で設計されてもよく、当該固定手段９により、接続用のピン１１を用いて、第２のヒンジ半体３がその２つの軸受部分３．１により固定されている。同様に、第２のヒンジ半体３が溝６を含み、当該溝６を用いて、第２のヒンジ半体３が扉の部品５の外周部にある突出部７に取り付けられる。この場合の突出部７は、扉の部品５の外側に90°に折り曲げられた縁部として設計され、扉の部品５の内側において、突出部７が内向きに突出している。
【００３９】
図１３および図１４は、共に考慮したときに、図１２に示されるヒンジ装置の実施形態のさらなる詳細を表現しており、より良い説明のために、扉の部品５が取り除かれている。それに応じて、第２のヒンジ半体３は２つの軸受部分３．１を含み、それぞれの軸受部分３．１は、接続用のピン１１の収容用の第１の貫通孔３．３を有している。例えば図１０に表現されるように、接続用のピン１１の挿入端が雄ねじ部を含んでいる場合、貫通孔３．３の少なくとも１つがねじ穴として設計されてもよい。第２のヒンジ半体３もまた、回転軸ｘの収容用の貫通孔３．３と平行に延びているヒンジピンスリーブ２５を含んでいる。回転軸ｘは、第１ヒンジ半体２のヒンジピンの台座３０に圧入されたヒンジピン３１により形成される。
【００４０】
２つの軸受部分３．１は、接続用のウェブ部３．２を介してお互いに距離ｄで接続され、整列された貫通孔３．３に関係しており、そしてヒンジピンスリーブ２５に関係している。溝６は、軸受部分３．１と接続用のウェブ部３．２との間に形成されている。
【００４１】
溝６は、実質的にＬ字状の設計を有しており、接続用のウェブ部３．２と軸受部分３．１のそれぞれの第１の接触面３．５との間に、溝部６．１を含み、ならびに第２の溝部６．２を含み、当該第２の溝部６．２は、第１のヒンジピンスリーブ２５と軸受部分３．１のそれぞれの第２の接触面３．６との間に形成されている。それぞれの軸受部分３．１用の第１および第２の接触面３．５，３．６は、お互いに垂直に向けられ、第１の円形部２６を介して互いに合流する。
【００４２】
接続用のウェブ部３．２は、ヒンジピンスリーブ２５の追加の接触面３．７に対して垂直に延びており、追加の接触面３．７は、第２の接触面３．６から平行に離して配置され、したがって第２の溝部６．２を形成している。接続用のウェブ部３．２は、第２の円形部２７を介して第２の接触面３．７に合流する。第１円形部２６の半径は、第２円形部２７の半径よりも大きくなるように設計される。
【００４３】
図１５および図１６は、本発明によるヒンジ装置の実施形態を示しており、一方がヒンジ装置の閉位置（図１５）を示し、他方がヒンジ装置の開位置（図１６）を示し、扉の部品５は、開位置と閉位置との間で回転軸ｘの周りを180°旋回可能である。
【００４４】
スイッチギアキャビネットのフレームワークの垂直プロファイル部材１０２に固定された図１５および図１６による装置は、ヒンジ半体２，３から形成されたヒンジに加えて、平坦部１０８もまた含んでおり、当該平坦部１０８は、平坦部ホルダ１０７を介して同一の垂直プロファイル部材１０２に固定されている。扉の部品５の閉位置において、平坦部１０８が扉の面に対して90°ずれた平面に固定されている。シール縁部１０５として設計されたシール用のウェブ部１０４の自由端により、閉位置にシール面が形成され、当該シール用のウェブ部１０４は、それに応じて、お互いに実質的に垂直に延び、これらのシール面では当該シール用のウェブ部１０４を用いて、一方では平坦部１０８で垂直プロファイル部材１０２から密閉され、他方では扉の部品５で垂直プロファイル部材１０２から密閉されている。
【００４５】
さらに図１２では表現された開位置において、完全に扉開口部４の明確な範囲の外で、扉の部品５が旋回していることが明らかである。扉の部品５の閉位置における第１のヒンジ半体２が、突出部７の外縁部と平坦部１０８の折り畳まれた縁部との間に延び、閉位置における第２のヒンジ半体３が、扉の側面部のシール用のウェブ部１０４と、第１のプロファイルウェブ部２９と、当該第１のプロファイルウェブ部２９と直角に延びる第２のプロファイルウェブ部３３と、扉の部品５と、の間に形成されたレセプタクルに完全に収容され、閉位置において第２のヒンジ半体３を完全に覆うことができ、したがって、第２のヒンジ半体３が外側から見えないようにし、または、あらゆる機械的応力からも保護できるようにしている。
【００４６】
前述の発明の詳細な説明、図面および特許請求の範囲に開示された本発明の特徴は、単独でも、任意の組み合わせでも、本発明の実施に不可欠であり得る。
【符号の説明】
【００４７】
１  ヒンジ装置
２  第１のヒンジ半体
３  第２のヒンジ半体
３．１  軸受部分
３．２  接続用のウェブ部
３．３  第１の貫通孔（ねじ穴）
３．４  第２の貫通孔
３．５  第１の接触面
３．６  第２の接触面
３．７  追加の接触面
４  扉開口部
５  扉の部品
６  溝
６．１  溝部
６．２  第２の溝部
７  突出部
８  内側
９  固定手段
１０  追加の固定手段
１１  接続用のピン
１２  扉の内側
１３  第１の支持面
１４  第２の支持面
１５  Ｕ字状のプロファイル部材
１６  平行なプロファイル部材側面
１７  追加のプロファイル部材側面
１８  90°折り曲げられた縁部
１９  シール要素
２０  部分的な溝
２０．１  境界面
２１  キャビネット接続部
２２  管状の扉のフレーム
２３  固定用の通路
２４  回転軸開口部
２５  ヒンジピンスリーブ
２６  第１の円形部
２７  第２の円形部
２８  固定用のフランジ
２９  第１のプロファイルウェブ部
３０  ヒンジピンの台座
３１  ヒンジピン
３２  90°の移行部
３３  第２のプロファイルウェブ部
３４  カバー部
１００  スイッチギアキャビネットの筐体
１０１  側壁
１０２  垂直プロファイル部材
１０３  接続用のプロファイル側面
１０４  シール用のウェブ部
１０５  シール縁部
１０６  シール要素
１０７  平坦部ホルダ
１０８  平坦部
ｄ  距離
Ｕ  外周部
ｘ  回転軸
【図１】
2019537422.tif 000003
【図２】
2019537422.tif 000004
【図３】
2019537422.tif 000005
【図４】
2019537422.tif 000006
【図５】
2019537422.tif 000007
【図６】
2019537422.tif 000008
【図７】
2019537422.tif 000009
【図８】
2019537422.tif 000010
【図９】
2019537422.tif 000011
【図１０】
2019537422.tif 000012
【図１１ａ】
2019537422.tif 000013
【図１１ｂ】
2019537422.tif 000014
【図１１ｃ】
2019537422.tif 000015
【図１１ｄ】
2019537422.tif 000016
【図１２】
2019537422.tif 000017
【図１３】
2019537422.tif 000018
【図１４】
2019537422.tif 000019
【図１５】
2019537422.tif 000020
【図１６】
2019537422.tif 000021
【国際調査報告】
2019537422.tif 000022
2019537422.tif 000023
2019537422.tif 000024
2019537422.tif 000025